(57)【要約】【課題】土壌ガス調査対象現場において土壌ガスを簡単に定量分析することができる土壌ガス分析方法および装置を提供すること。【解決手段】土壌ガス調査対象の土中に所定の径および深さのガスサンプリング穴２２を形成し、このガスサンプリング穴２２内に、移動自在の台車１に搭載された質量分析計７に接続されたガスサンプリング部２０を挿入して前記土壌中のガスＧをサンプリングし、このサンプリングされたガスＧをサンプルガスとして前記質量分析計７に供給し、この質量分析計７によって前記サンプルガスＧ中に含まれる測定対象成分を定量分析するようにしている。【選択図】      図１
2004184105.tif 000002
【特許請求の範囲】
【請求項１】
土壌ガス調査対象の土中に所定の径および深さのガスサンプリング穴を形成し、このガスサンプリング穴内に、移動自在の台車に搭載された質量分析計に接続されたガスサンプリング部を挿入して前記土壌中のガスをサンプリングし、このサンプリングされたガスをサンプルガスとして前記質量分析計に供給し、この質量分析計によって前記サンプルガス中に含まれる測定対象成分を定量分析するようにしたことを特徴とする土壌ガス分析方法。
【請求項２】
ガスサンプリング穴内からサンプリングされた土壌ガスのうち余剰のガスを前記ガスサンプリング穴内に戻すようにする請求項１に記載の土壌ガス分析方法。
【請求項３】
移動自在の台車に、ガスサンプリング部と接続された質量分析計と、この質量分析計との間で信号を授受するコンピュータとを搭載するとともに、土壌ガス調査対象の土中に形成された穴内に前記ガスサンプリング部を挿入してサンプリングされるサンプルガスを前記質量分析計に対して供給し、この質量分析計によって前記サンプルガス中に含まれる測定対象成分を定量分析するように構成したことを特徴とする土壌ガス分析装置。
【請求項４】
ガスサンプリング部がガスサンプリング管およびガス戻し管を備えてなる請求項３に記載の土壌ガス分析装置。
【請求項５】
台車にサンプリング穴における温度、気圧、湿度、ｐＨ値をそれぞれ測定する装置を搭載してある請求項３または４に記載の土壌ガス分析装置。
【請求項６】
台車が電動車である請求項３〜５のいずれかに記載の土壌ガス分析装置。
【請求項７】
台車にＧＰＳ受信機が備えられており、このＧＰＳ受信機によってサンプリング穴の位置を特定できるようにしてある請求項３〜６のいずれかに記載の土壌ガス分析装置。
【請求項８】
測定結果を無線により外部に送信できるようにしてある請求項３〜７のいずれかに記載の土壌ガス分析装置。
【発明の詳細な説明】
【０００１】
【発明の属する技術分野】
この発明は、土壌中に含まれる揮発性有機化合物（Ｖｏｌａｔｉｌｅ  Ｏｒｇａｎｉｃ  Ｃｏｍｐｏｕｎｄｓ、以下、ＶＯＣという）などの土壌ガス（土壌汚染ガスともいう）の定量分析を行うための土壌ガス分析方法および装置に関する。
【０００２】
【従来の技術】
近年、我が国においては、土壌環境の重要性が認識されるに至り、１９９１年に「土壌の汚染に係る環境基準」が制定され、１９９７年に「地下水の水質汚濁に係る環境基準」が制定されるなどして、土壌環境に対する認識が急速に高まりつつある。土壌汚染の調査から浄化のプロセスにおいては、対象項目とするＶＯＣ１１成分を始めとする土壌ガスを、高速・高感度に測定する装置の開発が期待されている。なお、前記ＶＯＣ１１成分とは、ジクロロメタン（ＤＣＭ）、テトラクロロメタン（ＴＣＭ）、１，２−ジクロロエタン（１，２−ＤＣＡ）、１，１−ジクロロエチレン（１，１−ＤＣＥ）、シス−１，２−ジクロロエチレン（シス−１，２−ＤＣＥ）、１，１，１−トリクロロエタン（ＭＣ）、１，１，２−トリクロロエタン（１，１，２−ＴＣＡ）、トリクロロエチレン（ＴＣＥ）、テトラクロロエチレン（ＰＣＥ）、１，３−ジクロロプロペン（１，３−ＤＣＰ）、ベンゼンのことをいう。
【０００３】
ところで、上記ＶＯＣなどの土壌汚染ガスを個々に定量分析する場合、従来においては、減圧捕集瓶法（あるいは食塩置換法）、捕集バッグ法、または捕集濃縮管法によって、土壌ガス調査対象の土地の土壌ガスをサンプリングし、このサンプリングした土壌ガスを分析室まで持ち帰り、分析室において適宜のガス分析装置で定量分析していた。
【０００４】
図６は、前記土壌ガスのサンプリング方法を示すもので、同図（Ａ）は、減圧捕集瓶法（あるいは食塩置換法）を示しており、土壌ガス調査対象の土中に所定の径および深さのガスサンプリング穴５１を形成し、このガスサンプリング穴５１内に、保護管５２を備えたガスサンプリング管５３を挿入し、このガスサンプリング管５３の他端側（地上側）に導管５４を介して接続される真空容器５５（食塩置換法の場合は、飽和食塩水を真空容器５５内に収容する）内にガスサンプリング穴５１内の土壌ガスを収容している。なお、５６，５７は真空容器５５の入口側、出口側に設けられる弁、５８は真空容器５５に設けられるセプタムである。そして、同図（Ｂ）は、捕集バッグ法を示しており、導管５４に気密容器５９内に収納された捕集バッグ６０を設け、この捕集バッグ６０内に土壌ガスを収容している。また、同図（Ｃ），（Ｄ）は捕集濃縮管法を示すもので、同図（Ｃ）では導管５４の地上側に捕集濃縮管６１を介装しており、同図（Ｄ）ではガスサンプリング穴５１内に挿入される導管６２の先端部（下端部）に捕集濃縮管６１を設けている。なお、図６（Ｂ）〜（Ｄ）において、符号６３は吸引ポンプである。
【０００５】
【発明が解決しようとする課題】
このように、従来においては、図６に示したような手法でサンプリングした土壌ガスをガス分析装置のある分析室まで持ち帰り、ガスクロマトグラフィーなどのガス分析装置を用いて定量分析していため、土壌ガスのサンプリング、土壌ガスの運搬、土壌ガスの定量分析といった工程が必要であるとともに、当該現場で直ちに測定結果が得られないといった不都合があった。さらに、次のような不都合もあった。すなわち、前記ガスサンプリングに際しては、サンプリング穴５１内の土壌ガスが平衡した状態のものをサンプリングする必要があるため、サンプリング穴５１掘削後所定の時間経過してからガスサンプリングする必要がある。そして、通常、土壌ガス調査を行う場合、例えば１０ｍ間隔ごとにサンプリング穴５１を形成してガスサンプリング点とするため、このガスサンプリング点が増えるに伴ってガスサンプリングに要する時間および労力が増大する。また、前記ガスサンプリング点ごとに土壌ガスをサンプリングするためには、前記真空容器５５等のガス収容具を少なくともガスサンプリング点の数に合わせて用意する必要がある。
【０００６】
また、前記サンプリングした土壌ガスを分析室まで持ち帰るのに代えて、調査対象現場にガスクロマトグラフィーを持ち込むことが考えられるが、この場合においても、分析に５時間程度の時間を要していた。
【０００７】
この発明は、上述の事柄に留意してなされたもので、その目的は、土壌ガス調査対象現場において土壌ガスを簡単に定量分析することができる土壌ガス分析方法および装置を提供することである。
【０００８】
【課題を解決するための手段】
上記目的を達成するため、この発明の土壌ガス分析方法は、土壌ガス調査対象の土中に所定の径および深さのガスサンプリング穴を形成し、このガスサンプリング穴内に、移動自在の台車に搭載された質量分析計に接続されたガスサンプリング部を挿入して前記土壌中のガスをサンプリングし、このサンプリングされたガスをサンプルガスとして前記質量分析計に供給し、この質量分析計によって前記サンプルガス中に含まれる測定対象成分を定量分析するようにしたことを特徴としている（請求項１）。
【０００９】
前記構成の土壌ガス分析方法によれば、移動自在の台車に質量分析計が搭載されるとともに、この質量分析計に対してガスサンプリング部が接続してあるので、土壌ガス調査対象である現地の所定のガスサンプリング点に台車を任意に移動させることができる。そして、当該ガスサンプリング点におけるガスサンプリング穴にガスサンプリング部を挿入することにより、土壌ガスをサンプリングすることができ、これを質量分析計に供給することにより、土壌ガス中に含まれる測定対象成分を定量分析することができる。また、サンプルガスを定量分析する質量分析計は取扱が簡単で、その測定精度が高い。したがって、前記土壌ガス分析方法によれば、土壌ガス調査対象である現地において土壌ガスを簡単にしかも精度よく定量分析することができる。
【００１０】
そして、請求項２に記載のように、請求項１の土壌ガス分析方法において、ガスサンプリング穴内からサンプリングされた土壌ガスのうち余剰のガスを前記ガスサンプリング穴内に戻すようにした場合、ガスサンプリング穴内におけるガスの平衡が可及的に保持され、所望の定量分析に支障が生ずることがない。
【００１１】
また、上記目的を達成するため、この発明の土壌ガス分析装置は、移動自在の台車に、質量分析計とこの質量分析計に接続されてサンプリングしたガスを供給するためのガスサンプリング部と前記質量分析計との間で信号を授受するコンピュータを搭載するとともに、土壌ガス調査対象の土中に形成された穴内に前記ガスサンプリング部を挿入してサンプリングされるサンプルガスを前記質量分析計に対して供給し、この質量分析計によって前記サンプルガス中に含まれる測定対象成分を定量分析するように構成したことを特徴としている（請求項３）。
【００１２】
前記前記構成の土壌ガス分析装置においては、移動自在の台車に、ガスサンプリング部と接続された質量分析計と、この質量分析計との間で信号を授受するコンピュータとが搭載されているので、土壌ガス調査対象である現地の地面上において所定のガスサンプリング点を辿るようにして前記台車を移動させることにより、当該ガスサンプリング点におけるガスサンプリング穴にガスサンプリング部を挿入することができ、これによって所望の土壌ガスをサンプリングすることができ、これを質量分析計に供給することにより、土壌ガス中に含まれる測定対象成分を定量分析することができる。そして、サンプルガスを定量分析する質量分析計は取扱が簡単で、その測定精度が高い。したがって、前記土壌ガス分析装置によれば、土壌ガス調査対象である現地において土壌ガスを簡単にしかも精度よく定量分析することができる。
【００１３】
そして、請求項４に記載のように、請求項３の土壌ガス分析装置において、ガスサンプリング部がガスサンプリング管およびガス戻し管を備えてなる場合、ガスサンプリング穴内からサンプリングされた土壌ガスのうち余剰のガスを前記ガスサンプリング穴内に戻すことができ、ガスサンプリング穴内におけるガスの平衡が可及的に保持され、所望の定量分析に支障が生ずることがない。
【００１４】
また、請求項５に記載のように、請求項３または４に記載の土壌ガス分析装置において、台車にサンプリング穴における温度、気圧、湿度、ｐＨ値をそれぞれ測定する装置を搭載した場合、ガスサンプリング点であるサンプリング穴における温度、気圧、湿度、ｐＨ値など、土壌ガスの定量分析点および分析時における測定条件をも併せて測定することができる。
【００１５】
さらに、請求項６に記載のように、請求項３〜５のいずれかに記載の土壌ガス分析装置において、台車が電動車である場合、凹凸のある地面上においても、測定担当者に力的な負担をかけることなく台車を簡単に移動させることができる。そして、この場合、請求項７に記載のように、台車にＧＰＳ受信機が備えられており、このＧＰＳ受信機によってサンプリング穴の位置を特定できるようにしてある場合には、人手によらなくても、台車を所望のガスサンプリング点に移動させることができる。また、サンプリング点を正確に測量することができる。
【００１６】
また、請求項８に記載のように、請求項３〜７に記載の土壌ガス分析装置において、測定結果を無線により外部に送信できるようにした場合、測定結果を測定現場から遠く離れた事務所等に送信することにより、事務所においても測定結果に基づいて種々の検討などを行うことができ、測定結果を迅速に活用することができる。
【００１７】
【発明の実施の形態】
以下、この発明の詳細を、図を参照しながら説明する。図１〜図５は、この発明の一つの実施の形態を示している。まず、図１〜図３は、この発明の土壌ガス分析装置Ａの構成の一例を概略的に示すもので、これらの図において、１は台車としての電動車で、例えば独立２輪駆動で、最大６ｋｍ／ｈでバッテリー走行ができ、操作盤２によって旋回、制動および速度調整ができるようになっており、車輪３も１０ｃｍ程度の段差や溝でも障害なく走行でき、かつ、後述する基材、特に分析部に対する衝撃が可及的に及ばされないように構成されている。そして、この電動車１は、図２に示すように、上、中、下の三段１ａ，１ｂ，１ｃに区分され、各段１ａ〜１ｃには、図３（Ａ）〜（Ｄ）に示すように、土壌ガスの測定に用いる装置や、ガスサンプリング点における測定環境を測定するための測定器や、これらおよび電動車１を駆動する電源部関係の装置をコンパクトに搭載できるように構成されている。
【００１８】
前記電動車１の各段１ａ〜１ｃにおける構成を説明すると、まず、上段１ａには、土壌ガス分析部４およびパソコン５が搭載され、上段１ａの側部には気圧計６が設けられている。前記土壌ガス分析部４は、特に図１に示すように、後述するガスサンプリング部２０によってサンプリングされた土壌ガスＧ（以下、サンプルガスＧということもある）中の測定対象成分としてのＶＯＣなどを定量析するもので、ＶＯＣ計としての飛行時間型質量分析計７を主たる構成要素とし、この前段には、脱水器８およびダストフィルタ９が設けられている。前記飛行時間型質量分析計７は、それ自体に制御機能および演算機能を有しており、測定対象成分ごとの濃度を得ることができるように構成されるとともに、測定結果等をモニター表示できるようにしてある。そして、土壌ガス分析部４には、嵌合または螺着方式のガス導入口４ａとガス排出口４ｂが形成されている、また、前記パソコン５は、飛行時間型質量分析計７と信号の授受を行うことができ、飛行時間型質量分析計７の測定結果や、気圧計６や後述する各種の測定器からの測定データを記憶したり、モニター表示できるようにしてある。そして、このパソコン５には、外部装置とデータなどの信号を送・受信できるように構成されている。
【００１９】
次に、中段１ｂには，ハンディｐＨ計を収容したケース１０、温度計および湿度計を収容したケース１１、インバータ１２、充電器１３が搭載されるとともにチューブ等補助基材収納部１４が設けられている。そして、前記ｐＨ計、温度計および湿度計の測定データは、信号線（図示していない）を介してパソコン５に送信されるようにしてある。
【００２０】
そして、下段１ｃには、バッテリー１５が搭載されている。このバッテリー１５は、前記飛行時間型質量分析計７を始めとする各種の測定器やパソコン５を駆動するとともに、電動車１を駆動し、最大１２時間程度連続運転できる程度の容量を備えている。
【００２１】
さらに、前記電動車１には、ＧＰＳ受信機１６が例えば上段１ａの適宜箇所に搭載されており、その受信データは、パソコン５に入力されるようにしてある。また、１７はガスサンプリング部２０を安定に保持するガスサンプリング部保持部で、この実施の形態においては、電動車１の側面に形成されている。なお、１８は土壌ガス分析部４およびパソコン５を覆うようにして設けられる日除け、１９は小物を収容する前籠である。
【００２２】
そして、図１および図２において、２０は土壌中の土壌ガスＧをサンプリングして土壌ガス分析部４にサンプルガスＧとして供給するためのガスサンプリング部で、その先端側から適宜の長さ（例えば１ｍ程度）だけ、土壌ガス調査対象の土地２１の表面２１ａから土中に垂直方向に掘削されたガスサンプリング穴２２内に挿入されるもので、例えば次のように構成されている。すなわち、図１および図２において、２３は支持バーで、この支持バー２３に支持されるようにしてガスサンプリング管２４およびガスリターン管２５が設けられている。
【００２３】
前記支持バー２３は、例えば適宜太さのステンレス鋼の棒よりなり、その長さは約１２０ｃｍで、その下端には水位センサ２６が設けられ、上部には電池ケースを内蔵するとともに水位センサ２６と信号線（図示していない）で接続された表示灯２７が設けられ、水位センサ２６がガスサンプリング穴２２の底部で水または水分を検出したとき表示灯２７が点灯するように構成されている。なお、２８は支持バー２３の上端に形成される握り部である。
【００２４】
前記ガスサンプリング管２４およびガスリターン管２５は、いずれも、ステンレス鋼やフッ素樹脂よりなり、例えば内径が数ｍｍであり、適宜の結束部材２９によって支持バー２３に結束されている。そして、ガスサンプリング管２４およびガスリターン管２５のそれぞれの一端には、土壌ガス分析部４に形成されたガス導入口４ａおよびガス排出口４ｂに対してそれぞれ嵌合または螺着方式の接続・分離自在のガス出口およびガス入口（いずれも図示していない）が形成されている。また、ガスサンプリング管２４は、その他端側の開口（下端開口）が支持バー２３の下端部よりやや上方に位置するように延設されて、ガスサンプリング穴２２内の土壌ガスＧをサンプリングするように構成されており、ガスリターン管２５は、その下端開口が支持バー２３の途中に位置するように設けられ、土壌ガス分析部４で余った土壌ガスＧ’をガスサンプリング穴２２内に戻すように構成されている。
【００２５】
そして、３０は蓋部材３１を備えた保護筒で、この保護筒３０は、掘削されたガスサンプリング穴２２の上部壁面を保護するもので、例えば、厚さ２ｍｍ、外径２０ｍｍ、長さ５５０ｍｍのステンレス鋼よりなる円筒体よりなる。また、蓋部材３１は、保護筒３０の一端側（上端側）に設けられており、例えば厚さ２ｍｍ、直径が１００ｍｍのステンレス鋼板よりなり、ガスサンプリング穴２２の上部開口を密に封止することができる。そして、この蓋部材３１には、その中央に例えば直径２０ｍｍの孔３１ａが開設されている。
【００２６】
そして、３２は前記孔３１ａを密に封じるとともに、支持バー２３、ガスサンプリング管２４およびガスリターン管２５を保護筒３０の長さ方向に移動自在に保持する栓体で、孔３１ａを密に封ずることのできる栓部材３３と支持バー２３、ガスサンプリング管２４およびガスリターン管２５を密に挿通・保持する保持部材３４とからなる。そして、栓本体３３の中央に孔３３ａが開設され、この孔３３ａに保持部材３４が上下方向に移動しうるように密に挿通している。この保持部材３４には、支持バー２３、ガスサンプリング管２４およびガスリターン管２５をそれぞれ個別に密に挿通させ保持する孔３４ａ，３４ｂ，３４ｃが開設されている。したがって、これらの孔３４ａ〜３４ｃに支持バー２３、ガスサンプリング管２４およびガスリターン管２５をそれぞれ挿通・保持させた状態で、保持部材３４を栓部材３３に対して上下方向に移動させることにより、支持バー２３、ガスサンプリング管２４およびガスリターン管２５の高さ位置が自在に調整される。なお、図２において、３５はカバーチューブで、前記栓体３２の上端から導出されるガスサンプリング管２４およびガスリターン管２５がばらばらにならないように被覆するものである。
【００２７】
上記構成の土壌ガス分析装置Ａを用いて、調査対象現場で土壌ガスの定量分析を行う方法について、図４および図５をも参照しながら説明する。図４は調査対象の土地２１における平面形状を概略的に示すもので、この調査対象である土地２１には、マイクロバスなど適宜の車両３６（図では便宜上側面的に示している）に前記土壌ガス分析装置Ａを搭載して移動する。この車両３６内には、土壌ガス分析装置Ａ側のパソコン５や事務所（図示していない）のパソコンと無線で交信できるパソコン（図示していない）が搭載されている。
【００２８】
そして、測定に先立って、前記土地２１には、複数のガスサンプリング点としてのガスサンプリング穴２２が適宜の掘削機を用いて例えば１０ｍ間隔ごとに形成してある。これらのガスサンプリング穴２２は、例えば直径２０〜４０ｍｍ、深さ１ｍ程度である。そして、これら全てのガスサンプリング穴２２の位置（ガスサンプリング点）は、電動車１に搭載してあるＧＰＳ受信機１６によって受信したＧＰＳ情報を基にして確認し、土壌ガス分析装置Ａのパソコン５に登録されている。
【００２９】
前記土壌ガス分析装置Ａを調査対象の土地２１の地面上に置く。この土壌ガス分析装置Ａは、電動車１を備えているので、測定担当者Ｍ（図２参照）が電動車１の制御盤２を適宜操作することにより、電動車１をガスサンプリング穴２２の位置近くに移動させ、その位置に停止させることができる。そこで、予め定められている順序にしたがって電動車１を移動し停止させた状態で測定を行うのである。
【００３０】
すなわち、図２に示すように、電動車１を所定のガスサンプリング穴２２の近くに停止させて、ガスサンプリング部保持部１７に載置・保持されているガスサンプリング部２０を前記保持部１７から取り出して、握り手２８を保持して、ガスサンプリング部２０を、その下端部からガスサンプリング穴２２内にゆっくりと挿入する。このとき、ガスサンプリング穴２２内に水が存在しなければ、水位センサ−２６が働くことはなく、表示灯２７が点灯することがないので、蓋部材３１がガスサンプリング穴２２の上部の周囲表面２１ａに密着するようにしてガスサンプリング部２０をガスサンプリング穴２２内にセットする。なお、前記ガスサンプリング穴２２内に水が存在している場合は、水位センサ−２６が働いて表示灯２７が点灯するので、その場合は、栓体３２における保持部材３４を栓部材３３に対して、表示灯２７が消灯する位置まで引き上げることにより、支持バー２３、ガスサンプリング管２４およびガスリターン管２５を引き上げることができ、その高さ調整を行う。この場合、栓体３２が蓋部材３１の孔３１ａを密に封ずることのできる栓部材３３と、支持バー２３、ガスサンプリング管２４およびガスリターン管２５を密に挿通・保持する保持部材３４とからなるので、前記高さ調整をスムーズに行うことができる。
【００３１】
上記のようにガスサンプリング部２０の下端側をガスサンプリング穴２２内にセットすることにより、ガスサンプリング穴２２内の土壌ガスＧがガスサンプリング管２４にサンプリングされて土壌ガス分析部４に入る。この土壌ガス分析部４内には、ダストフィルタ９および脱水器８が設けられているので、前記サンプリングされた土壌ガスＧは、ダスト除去および水分除去の処理を順次受け、飛行時間型質量分析計７に導入され、所定の測定対象成分が定量分析される。このとき、測定対象成分の濃度が安定するか否かを飛行時間型質量分析計７またはパソコン５においてモニタし、安定した値を示したときの値を、ガスサンプリング穴２２内の土壌ガスＧが平衡したものとして測定対象成分の濃度値とする。
【００３２】
そして、前記測定対象となったガスサンプリング穴２２における温度、湿度、気圧などが測定され、それらのデータが電動車１に搭載されているパソコン５に入力される。そして、ガスサンプリング穴２２内に水が存在する場合は、これを適宜のサンプリング部材でサンプリングして、ハンディｐＨ計によって測定する。このｐＨ計の測定データも前記パソコン５に入力される。つまり、上記土壌ガス分析装置Ａによれば、一つのガスサンプリング穴２２における土壌ガスＧに含まれる測定対象成分のみならず、その測定を行ったときのサンプリング条件も併せて測定され、これが項目別に記憶される。
【００３３】
ところで、ガスサンプリング穴２２からサンプリングされ、飛行時間型質量分析計７における定量分析に供された土壌ガスＧは、その測定後、余剰のガスについては、ガスリターン管２５を経て前記ガスサンプリング穴２２内に戻される。こうすることにより、ガスサンプリング穴２２内におけるガスの平衡が可及的に保持され、より精度の高い測定結果を得ることができる。
【００３４】
上述のようにして、一つのガスサンプリング穴２２における測定が終了すると、ガスサンプリング部２０を前記ガスサンプリング穴２２から抜き取って、電動車１のガスサンプリング部保持部１７に載置し、その状態で、電動車１を次のガスサンプリング点であるガスサンプリング穴２２に移動する。
【００３５】
上述のようにして、全てのガスサンプリング穴２２を、所定の順序で一つずつ辿るようにして電動車１をスキャン移動させ、ガスサンプリングを行うことにより、測定対象の土地２１における土壌ガスＧ中の測定対象成分の濃度データがそのサンプリング条件のデータとともに得られる。前記データは、パソコン５において整理され、図５に示すような、濃度分布を表す濃度マップ３７を得ることができる。この濃度マップ３７においては、測定対象の土地２１における特定の測定対象成分の濃度（ｐｐｍ）がカラー別または濃淡によって表示されるので、その土地２１のどの部分がどのような成分によってどれだけ汚染されているかなどが一目で分かる。
【００３６】
ところで、土壌ガス調査を行う場合、１００ｍ２  に１点（１０ｍ間隔）のガスサンプリング点（ガスサンプリング穴２２）が必要であり、例えば１０００ｍ２  の調査対象地では１０個のガスサンプリング穴２２を設け、これらのガスサンプリング穴２２において順次土壌ガスを定量分析する必要があるが、この発明の土壌ガス分析方法および装置によれば、１時間もあれば土壌ガス調査を終了することができ、従来に比べて、土壌ガス調査に要する時間が短縮され、また、操作も簡単であるので手間も大幅に低減されるいたった。
【００３７】
この発明は、上述の実施の形態に限られるものではなく、種々に変形して実施することができる。例えば台車１は電動車でなくてもよく、調査対象地において移動自在かつ停止できるように構成されておれば、手押し車式のものであってもよい。そして、対象成分を定量分析する質量分析計７は、飛行時間型質量分析計以外の単収束型質量分析計や四重極子型質量分析計などであってもよい。また、栓体３２としては、単に栓部材３３に支持バー２３、ガスサンプリング管２４およびガスリターン管２５を挿通させるものであってもよい。
【００３８】
また、前記土壌ガス分析装置Ａを搬送する車両３６にもＧＰＳ受信機を搭載し、土壌ガス分析装置Ａに搭載してあるＧＰＳ受信機１６と組み合わせ、所謂ディファレンスＧＰＳ方式でガスサンプリング点の位置を確認するようにしてあってもよい。
【００３９】
【発明の効果】
以上説明したように、この発明で用いる土壌ガス分析装置は、移動自在の台車に質量分析計が搭載されるとともに、この質量分析計に対してガスサンプリング部が接続してあるので、土壌ガス調査対象である現地の所定のガスサンプリング点に任意に台車を移動させることができる。そして、当該ガスサンプリング点におけるガスサンプリング穴にガスサンプリング部を挿入することにより、土壌ガスをサンプリングすることができ、これを質量分析計に供給することにより、土壌ガス中に含まれる測定対象成分を定量分析することができる。また、サンプルガスを定量分析する質量分析計は取扱が簡単で、その測定精度が高い。
【００４０】
したがって、この発明によれば、土壌ガス調査対象である現地において土壌ガスを簡単にしかも精度よく定量分析することができ、野外におけるフィールド測定を簡単に行うことができ、土壌汚染サイトにおいて所望の測定を迅速かつ確実に行うことができ、その現場で測定結果を得ることができる。
【図面の簡単な説明】
【図１】この発明の土壌ガス分析装置の要部の構成の一例を概略的に示す図である。
【図２】前記土壌ガス分析装置の全体構成を概略的に示す斜視図である。
【図３】前記土壌ガス分析装置の台車の構成およびそれに搭載される装置、基材の配置例を示す図である。
【図４】この発明の土壌ガス分析方法が実施される土地の一例を概略的に示す平面図である。
【図５】前記土壌ガス分析装置によって得られる濃度マップの一例を示す図である。
【図６】従来技術を説明するための図である。
【符号の説明】
１…台車、５…コンピュータ、７…質量分析計、１６…ＧＰＳ受信機、２０…ガスサンプリング部、２２…ガスサンプリング穴、２４…ガスサンプリング管、２５…ガス戻し管、Ｇ…サンプルガス（土壌ガス）、Ｇ’…余剰の土壌ガス。
【図１】
2004184105.tif 000003
【図２】
2004184105.tif 000004
【図３】
2004184105.tif 000005
【図４】
2004184105.tif 000006
【図５】
2004184105.tif 000007
【図６】
2004184105.tif 000008